(57)【要約】【課題】複数の原稿群を読み取らせる際のユーザの手間が軽くなる読み取り装置の提供。【解決手段】読み取り部に両面を読み取らせて（Ｓ３５０）、読み取り結果を原稿群Ａに分類すべきか原稿群Ｂに分類すべきかを、裏面が白紙か否かに基づいて判断する（Ｓ３６０）。原稿群Ａに属すると判断すると（Ｓ３６０Ｎｏ）、原稿群Ａについて設定された出力を実行させる（Ｓ３３０）。原稿群Ｂに属すると判断すると（Ｓ３６０Ｙｅｓ）、原稿群Ｂについての出力を実行させる（Ｓ３８０）。【選択図】図８
2010199999.tif 000002
【特許請求の範囲】
【請求項１】
複数枚の原稿の両面または片面を連続的に読み取り可能な読み取り手段と、
前記読み取り手段によって両面が読み取られた原稿の特定側の片面が無地か否かに基づいて、前記読み取り手段の読み取り結果を異なるグループに分類する分類手段とを備える
ことを特徴とする読み取り装置。
【請求項２】
前記分類手段は、
前記読み取り結果を前記特定側の片面が無地か否かに関係なく分類する第一モードから、前記読み取り結果を前記特定側の片面が無地か否かに基づいて分類する第二モードへ、ユーザの指示に従って切り換える切り換え手段を備えると共に、
前記読み取り手段による連続的な読み取りが始まってから一回目の前記切り換え指示までは、前記第一モードであると共に前記読み取り結果を同じグループに分類する
ことを特徴とする請求項１の読み取り装置。
【請求項３】
前記分類手段は、前記読み取り結果をグループＡ又はグループＢに分類すると共に、前記第一モードでは前記読み取り結果を前記グループＡに分類するようになっており、
前記切り換え手段は、
前記第二モードにおいて前記読み取り結果の前記グループＢへの分類が始まり、その後前記グループＢへの分類が終わったか否かを、前記特定側の片面が無地か否かに基づいて判断する終了判断手段を備えると共に、
前記グループＢへの分類が終わったと前記終了判断手段によって判断されると、前記第二モードから前記第一モードへ切り換える
ことを特徴とする請求項２の読み取り装置。
【請求項４】
前記分類手段は、前記読み取り結果をグループＡ又はグループＢに分類すると共に、前記読み取り手段による連続的な読み取りが始まってから一回目の前記切り換え指示までは前記読み取り結果を前記グループＡに分類するようになっており、
前記切り換え手段は、
前記第二モードにおいて前記読み取り結果の前記グループＢへの分類が始まったか否かを、前記特定側の片面が無地か否かに基づいて判断する開始判断手段を備えると共に、
前記グループＢへの分類が始まったと前記開始判断手段によって判断されると、前記第二モードから前記第一モードへ切り換え、
前記分類手段は、前記グループＢへの分類が始まったと前記開始判断手段によって判断されてから所定枚数分の前記読み取り結果を前記グループＢに分類し、そのグループＢへの分類が終わると前記読み取り結果を前記グループＡに分類する
ことを特徴とする請求項２の読み取り装置。
【請求項５】
前記切り換え手段によって前記第一モードから前記第二モードへ切り換えられることを禁止する禁止手段を備える
ことを特徴とする請求項２〜請求項４何れかの読み取り装置。
【請求項６】
異なる原稿群ごとに原稿の読み取り面をユーザに設定させる設定手段を備え、
前記読み取り手段は、前記第一モードにおいては前記設定手段によって設定された読み取り面を読み取り、前記第二モードにおいては両面を読み取る
ことを特徴とする請求項２〜請求項５何れかの読み取り装置。
【請求項７】
異なる原稿群ごとに原稿の読み取り面をユーザに設定させる設定手段を備え、
前記設定手段は、前記読み取り結果を異なるグループに分類すべき複数の原稿群のうち、前記読み取り面の設定を後で行う原稿群については、先に行われた設定に対して読み取り結果の分類が可能となる読み取り面の候補の中から設定させる
ことを特徴とする請求項１〜請求項５何れかの読み取り装置。
【発明の詳細な説明】
【技術分野】
【０００１】
原稿を読み取る読み取り装置に関する。
【背景技術】
【０００２】
給紙位置にセットされた複数枚の原稿を連続的に読み取る装置（ＡＤＦ：Auto Document Feeder）が既に知られている。さらに、原稿の両面を一度の搬送で読み取り可能なＡＤＦにおいて、読み取り動作の割り込み（以下、単に「割り込み」という）が可能な技術が開示されている（特許文献１）。この技術において割り込みを実現するためには、ある処理（ＦＡＸ等）のために既に給紙位置にセットされている原稿（以下「原稿群Ａ」という）をＡＤＦによる読み取り途中に除けた後に、別の処理（コピー等）のために割り込ませる原稿（以下「原稿群Ｂ」という）を給紙位置にセットする必要がある。そして、原稿群Ｂの処理が終わった後に、再び原稿群Ａを給紙位置にセットする必要がある。
【先行技術文献】
【特許文献】
【０００３】
【特許文献１】特開２００５−０７３０３６号公報
【発明の概要】
【発明が解決しようとする課題】
【０００４】
先述した技術の課題は、上記のような面倒な作業を求めており、ユーザに手間を取らせていたことである。また、割り込み（原稿群Ａ→原稿群Ｂ→原稿群Ａ→終了）に限らず、単に順番に読み取らせる場合（原稿群Ａ→原稿群Ｂ→終了）であってもやはり、複数の原稿群を予め給紙位置に載置し、連続して別の読み取り処理を行うことができず、原稿群Ａの読み取りが終わってからユーザによる何らかの操作（原稿群Ａの読み取りが終わったのを確認してから原稿群Ｂを給紙位置にセットする等）が必要であった。本発明は、この課題を解決するために、複数の原稿群を読み取らせる際のユーザの手間が軽くなる読み取り装置の提供を目的とする。
【課題を解決するための手段】
【０００５】
この目的を達成するためになされた請求項１の発明は、複数枚の原稿の両面または片面を連続的に読み取り可能な読み取り手段と、読み取り手段によって両面が読み取られた原稿の特定側の片面が無地か否かに基づいて、読み取り手段の読み取り結果を異なるグループに分類する分類手段とを備えることを特徴とする読み取り装置である。
【０００６】
この読み取り装置によれば、複数の原稿群を読み取らせる際のユーザの手間が軽くなる。なぜなら、無地か否かによって、原稿群の切り替わりを検出することで、複数の原稿群を連続して読み取らせても、読み取り結果は分類されるからである。なお、無地か否かで分類できるような原稿群同士（例えば、原稿群Ａ：表面無地／裏面無地でない、原稿群Ｂ：表面無地でない／裏面無地、原稿群Ｃ：両面無地でない）である必要がある。なお、原稿「群」と言っているが、一枚も含む。このように分類が行われれば、分類された読み取り結果それぞれについて、別々の処理が実行可能になる。
【０００７】
ところで、常に分類のための判断を行わなければならないと、装置に負荷がかかる。そこで次のようにすると良い。請求項２の発明は、分類手段は、読み取り結果を特定側の片面が無地か否かに関係なく分類する第一モードから、読み取り結果を特定側の片面が無地か否かに基づいて分類する第二モードへ、ユーザの指示に従って切り換える切り換え手段を備えると共に、読み取り手段による連続的な読み取りが始まってから一回目の切り換え指示までは、第一モードであると共に読み取り結果を同じグループに分類することを特徴とする請求項１の読み取り装置である。
【０００８】
この読み取り装置によれば、無駄な分類を行うための判断（読み取り手段によって両面が読み取られた原稿の特定側の片面が無地か否か）を省くことができる。なぜなら、ユーザが切換指示をするまでは、読み取り結果を全て同じグループに分類すればよいからである。また分類のための判断をするには原稿の両面を読み取る必要があるが、このように無駄な判断を減らすことによって、原稿の両面を読み取る回数を減らすことができる。従って、無駄な読み取りを行うことがなくなり、速やかに読み取りを実行することができる。
【０００９】
なお、切り換え指示後の第一モードにおいては、分類手段は、ある特定の一つのグループに分類する、或いは枚数に基づいて分類するなどの単純な方法によって分類すればよい。
【００１０】
分類のための判断をさらに減らすには、次のようにすると良い。請求項３の発明は、分類手段は、読み取り結果をグループＡ又はグループＢに分類すると共に、第一モードでは読み取り結果をグループＡに分類するようになっており、切り換え手段は、第二モードにおいて読み取り結果のグループＢへの分類が始まり、その後グループＢへの分類が終わったか否かを、特定側の片面が無地か否かに基づいて判断する終了判断手段を備えると共に、グループＢへの分類が終わったと終了判断手段によって判断されると、第二モードから第一モードへ切り換えることを特徴とする請求項２の読み取り装置である。
【００１１】
この読み取り装置によれば、グループＢへの分類が終わった後は、分類を行うための判断（読み取り手段によって両面が読み取られた原稿の特定側の片面が無地か否か）を省くことができる。なぜなら、グループＢへの分類が終わった後は、読み取り結果を全て同じグループＡに分類すればよいからである。このように無駄な判断をさらに減らすことによって、さらに速やかに読み取りを実行することができる。
【００１２】
分類のための判断を減らすために、次のようにしても良い。請求項４の発明は、分類手段は、読み取り結果をグループＡ又はグループＢに分類すると共に、読み取り手段による連続的な読み取りが始まってから一回目の切り換え指示までは読み取り結果をグループＡに分類するようになっており、切り換え手段は、第二モードにおいて読み取り結果のグループＢへの分類が始まったか否かを、特定側の片面が無地か否かに基づいて判断する開始判断手段を備えると共に、グループＢへの分類が始まったと開始判断手段によって判断されると、第二モードから第一モードへ切り換え、分類手段は、グループＢへの分類が始まったと開始判断手段によって判断されてから所定枚数分の読み取り結果をグループＢに分類し、そのグループＢへの分類が終わると読み取り結果をグループＡに分類することを特徴とする請求項２の読み取り装置である。
【００１３】
この読み取り装置によれば、無駄な分類を行うための判断（読み取り手段によって両面が読み取られた原稿の特定側の片面が無地か否か）を省くことができる。なぜなら、グループＢの分類が始まってから所定枚数分は、読み取り結果を全て同じグループＢに分類すればよく、グループＢの分類が終わったと判断されてからは読み取り結果を全て同じグループＡに分類すればよいからである。しかも、グループＢの原稿群は一枚目を除いて、無地か否かについて制約がないので、読み取らせることができる原稿の自由度が大きい。このように無駄な判断をさらに減らすことによって、さらに速やかに読み取りを実行することができる。
【００１４】
ところで、分類をさせたくない場合や誤操作を防ぎたい場合がある。そこで次のようにすると良い。請求項５の発明は、切り換え手段によって第一モードから第二モードへ切り換えられることを禁止する禁止手段を備えることを特徴とする請求項２〜請求項４何れかの読み取り装置である。
【００１５】
この読み取り装置によれば、ユーザが読み取り結果を同じグループとして読み取りたい場合は、読み取り結果を異なるグループに分類することを禁止することができる。また、誤操作を予防できる。
【００１６】
ところで、分類判断の負荷を減らすのに加えて、読み取りの負荷も軽減できるのが望ましい。そこで次のようにすると良い。請求項６の発明は、異なる原稿群ごとに原稿の読み取り面をユーザに設定させる設定手段を備え、読み取り手段は、第一モードにおいては設定手段によって設定された読み取り面を読み取り、第二モードにおいては両面を読み取ることを特徴とする請求項２〜請求項５何れかの読み取り装置である。
【００１７】
この読み取り装置によれば、無駄な読み取りを省くことができる。第一モードにおいては設定された読み取り面のみを読み取ればよいからである。
【００１８】
ところで、分類判断のための条件をユーザが間違えると、正常に分類をすることができない。そこで次のようにすると良い。請求項７の発明は、異なる原稿群ごとに原稿の読み取り面をユーザに設定させる設定手段を備え、設定手段は、読み取り結果を異なるグループに分類すべき複数の原稿群のうち、読み取り面の設定を後で行う原稿群については、先に行われた設定に対して読み取り結果の分類が可能となる読み取り面の候補の中から設定させることを特徴とする請求項１〜請求項５何れかの読み取り装置である。この読み取り装置によれば、読み取り面が間違って設定される可能性が減るので、分類を正常に実行しやすい。
【図面の簡単な説明】
【００１９】
【図１】複合機の外観図。
【図２】複合機のブロック構成図。
【図３】原稿群Ａ処理を示すフローチャート。
【図４】割り込み指示の設定画面。
【図５】原稿群Ｂ処理を示すフローチャート。
【図６】割り込みのための条件を示すテーブル。
【図７】原稿群Ｂについての読み取り面の設定画面。
【図８】第一分類処理を示すフローチャート。
【図９】原稿群Ｂの枚数の設定画面。
【図１０】第二分類処理を示すフローチャート。
【図１１】第二分類処理を示すフローチャート。
【発明を実施するための形態】
【００２０】
本発明の実施例を説明する。
【実施例１】
【００２１】
図１は、本発明が適用された複合機１の外観図である。複合機１は、操作パネル１０とＡＤＦ２０とを備える。また、複合機１は、ＦＡＸ・コピー・スキャナの各機能を備える。
【００２２】
図２は、複合機１のブロック構成図である。図に示すように、操作パネル１０・ＡＤＦ２０・読み取り部３０・ＦＡＸ出力部４０・スキャナ出力部５０・コピー出力部６０はそれぞれ、制御部１００が制御できるようになっている。
【００２３】
制御部１００は、操作パネル１０を通じて入力された操作情報に基づいて、ＡＤＦ２０に原稿を引き込ませて、読み取り部３０に原稿を読み取らせる。そして、制御部１００は、読み取り結果を、ＦＡＸ出力部４０、スキャナ出力部５０又はコピー出力部６０に出力させる。なお、ＦＡＸ出力部４０・スキャナ出力部５０・コピー出力部６０とは、各名称に対応する機能を実現するためのハードウェア資源である。ここで、スキャナ出力部５０とは、読み取り結果を複合機１に接続されたＰＣやサーバに送信したり、複合機１の内部や複合機１に着脱可能な記憶媒体に記憶させる処理を行ったりするものである。
【００２４】
また、読み取り部３０は、原稿の両面を読み取り可能になっている。表面だけ又は裏面だけの読み取りもできる。そして、読み取り部３０は、原稿の表面と裏面とを別々のセンサーで読み取るようになっている。
【００２５】
図３は、原稿群Ａ処理を示すフローチャートである。原稿群Ａとは、［発明が解決しようとする課題］で述べたように、後述する処理によって他の原稿群に割り込まれる場合がある原稿群のことである。原稿群Ａ処理は、制御部１００が、原稿群Ａ処理の開始指示を操作パネル１０を通じて受けたことを契機に開始する処理である。
【００２６】
まず、各種設定指示の入力を操作パネル１０を通じて受ける（Ｓ１１０）。具体的には、コピー／ＦＡＸ／スキャンから一つを選択する指示、両面読み取り／表面（片面）読み取りの選択指示などを受ける。そして、原稿群Ａの読み取り中における割り込み（図５〜図７参照）を許可するか否かの入力を受ける（Ｓ１２０）。
【００２７】
図４は、割り込みを許可するか否かの入力を受けるために、操作パネル１０に表示される画面である。図４（ａ）は表面読み取りが設定された場合、図４（ｂ）は両面読み取りが設定された場合である。ユーザは、割り込みを許可する場合は「はい」、許可しない場合は「いいえ」を選択する。また、表面読み取りの場合、裏面が白紙でない原稿を含むときは、ユーザは「いいえ」を選択しなければならない（図６参照）。一方、両面読み取りの場合、裏面が白紙の原稿を含むときは、ユーザは「いいえ」を選択しなければならない（図６参照）。
【００２８】
図３に戻る。割り込みを許可しないという入力を受けると（Ｓ１２０Ｎｏ）、ＡＤＦ２０に原稿を引き込ませ（Ｓ１３０）、読み取り部３０に原稿を読み取らせて（Ｓ１４０）、Ｓ１１０での設定通りに、ＦＡＸ出力部４０、スキャナ出力部５０又はコピー出力部６０に出力を実行させる（Ｓ１５０）。なお、ここでの出力の実行とは、必ずしも一枚読み取る度に出力を完了させることとは限らない。例えばコピーの場合なら、一枚読み取る度に印刷を順次実行すればよい。一方ＦＡＸの場合なら、このステップでは読み取り結果を記憶するための処理を実行し、全て読み取ってからまとめて送信するようにすればよい。
【００２９】
そして、ＡＤＦ２０に原稿がある間は（Ｓ１６０Ｙｅｓ）、Ｓ１３０〜Ｓ１５０を繰り返し、ＡＤＦ２０に原稿がなくなったと判断すると（Ｓ１６０Ｎｏ）、原稿群Ａ処理を終える。
【００３０】
一方、割り込みを許可するという入力を受けると（Ｓ１２０Ｙｅｓ）、第一分類処理（図８参照）を実行して（Ｓ１７０）、原稿群Ａ処理を終える。（第二分類処理は実施例２で説明する。）
割り込み指示について説明する。図５は、原稿群Ｂ処理を示すフローチャートである。この処理は、制御部１００が、原稿群Ａ処理の実行中に繰り返し実行する処理である（但し、第一分類処理（図８参照）のＳ３２０でＹｅｓと判断してからＳ３９０で割り込み指示が解除されるまでは実行しない）。原稿群Ｂとは、［発明が解決しようとする課題］で述べたように、原稿群Ａに対して割り込ませる原稿群のことである。
【００３１】
まず、割り込み許可がされているかを判断する（Ｓ２１０）。されていないと判断すると（Ｓ２１０Ｎｏ）、この処理を終える。一方、許可されていると判断すると（Ｓ２１０Ｙｅｓ）、原稿群Ａ処理のＳ１１０において設定された読み取り面に基づいて、原稿群Ｂについて読み取り可能な面を操作パネル１０に表示する（Ｓ２２０）。原稿群Ｂについて読み取り可能な面について、図６を用いて説明する。
【００３２】
図６は、割り込みを実現するための条件を示したテーブルである。このテーブルは複合機１の内部に予め記憶されている。まず、原稿群Ａが表面読み取りの場合、割り込みを許可するときは、先述したように、原稿群Ａの裏面全てが白紙であることをユーザが確認しなければならない。（白紙でないものを含んでいたとしても、第一分類処理（図８参照）は進行していく。しかし、原稿群Ａの裏面が全て白紙であることを前提とした処理なので、割り込みが正常に実行されない可能性がでてくる。）このときに、原稿群Ｂの読み取り面として設定可能なのは、裏面または両面である。そして、原稿群Ｂの裏面全てに画像データが有る（白紙でない）ことをユーザが確認しなければならない。
【００３３】
一方、原稿群Ａが両面読み取りの場合、割り込みを許可するときは、原稿群Ａの裏面全てに画像データが有ることをユーザが確認しなければならない。このときに、原稿群Ｂの読み取り面として設定可能なのは、表面である。そして、原稿群Ｂの裏面全てが白紙であることをユーザが確認しなければならない。このような関係が満たされれば、裏面が白紙か否かに基づいて読み取り結果が分類できる。
【００３４】
図７に移る。図７は、Ｓ２２０において操作パネル１０に表示される画面である。図７（ａ）は原稿群Ａの読み取り面が表面の場合、図７（ｂ）は原稿群Ａの読み取り面が両面の場合である。図７（ａ）に示すように、原稿群Ａの読み取り面が表面の場合は、原稿群Ｂについて裏面読み取りか、両面読み取りかをユーザに設定させるようになっている。また、図７（ｂ）に示すように、原稿群Ａの読み取り面が両面の場合は、原稿群Ｂについて表面読み取りで良いか否かを入力させるようになっている。
【００３５】
図５に戻る。図７で説明した画面を通じて、読み取り面の入力を受け付ける（Ｓ２３０）。そして、各種設定指示を受け付け（Ｓ２４０）、割り込み指示の確定を受け付けると（Ｓ２５０）、この処理を終える。なお、Ｓ２５０の後に、ユーザは原稿群ＢをＡＤＦ２０に載置する必要がある。複合機１が割り込み指示を受け付ける前は、全て原稿群Ａの設定で読み取りが行われ、出力されてしまうからである。なお、原稿群Ａに割り込ませるように載置してもよいし、原稿群Ａの読み取りが終わってから原稿群Ｂの読み取りが始まるように載置してもよい。このようにして、割り込み指示が入力されることで、第一分類処理が始まることになる。
【００３６】
図８は、第一分類処理を示すフローチャートである。まず、ＡＤＦ２０に原稿を引き込ませる（Ｓ３１０）。そして、割り込み指示があるかを判断する（Ｓ３２０）。ここで、Ｓ２５０（図５）で割り込み指示の確定を受け付けている場合は、割り込み指示があると判断する。この判断は、無駄に両面を読み取ることを防ぐためのものである。
【００３７】
割り込み指示ありと判断すると（Ｓ３２０Ｙｅｓ）、原稿群Ａ又は原稿群Ｂについて設定された読み取り面に関係なく、読み取り部３０に両面を読み取らせる（Ｓ３５０）。そして、Ｓ３１０で引き込んだ原稿が原稿群Ｂに属するのかを、裏面の読み取り結果に基づいて判断する（Ｓ３６０）。ここでは、読み取った原稿が先述した図６に示す裏面条件のいずれを満たすかに基づいて判断される。例えば、原稿群Ａの読み取り面が表面で、原稿群Ｂの読み取り面が裏または両面に設定されていた場合、読み取られた原稿の裏面に画像データがあるときは、読み取った原稿は原稿群Ｂに属すると判断される。原稿群Ａに属すると判断すると（Ｓ３６０Ｎｏ）、前の原稿が原稿群Ｂに属するものだったかを判断する（Ｓ３７０）。原稿群Ａに属するものだったと判断すると（Ｓ３７０Ｎｏ）、Ｓ３５０の読み取り結果に基づいて、原稿群Ａについて設定された出力を実行させる（Ｓ３３０）。
【００３８】
そして、ＡＤＦ２０にまだ原稿があるかを判断する（Ｓ３４０）。あると判断すると（Ｓ３４０Ｙｅｓ）、Ｓ３１０に戻る。つまり、割り込み指示あってから、原稿群Ａに属する原稿を引き込んでいる間は、上記のステップを繰り返す。
【００３９】
一方、Ｓ３１０で引き込んだ原稿が原稿群Ｂに属すると判断すると（Ｓ３６０Ｙｅｓ）、その原稿の読み取り結果に基づいて、原稿群Ｂについての出力を実行させる（Ｓ３８０）。そして、Ｓ３４０に進む。そして、原稿群Ｂに属する原稿を引き込んでいる間は、Ｓ３６０Ｙｅｓと判断し続けるので、原稿群Ｂについての出力を継続する。
【００４０】
そして、再び原稿群Ａを引き込んだと判断すると（Ｓ３６０Ｎｏ）、前の原稿は原稿群Ｂに属するので（Ｓ３７０Ｙｅｓ）、割り込み指示を解除する（原稿群Ｂへの分類が終了したと見なす）（Ｓ３９０）。そして、読み取り結果に基づいて、原稿群Ａについての出力を実行する（Ｓ３３０）。そして、まだ原稿があると判断すると（Ｓ３４０Ｙｅｓ）、ＡＤＦ２０に原稿を引き込ませて（Ｓ３１０）、割り込み指示が無いと判断すると（Ｓ３２０Ｎｏ）、原稿群Ａについて設定された読み取り面を読み取り（Ｓ３２５）、原稿群Ａについての出力を実行させる（Ｓ３３０）。そして、ＡＤＦ２０に原稿が無いと判断すると（Ｓ３４０Ｎｏ）、この処理を終える。
【００４１】
なお、処理が終わる前に再び割り込み指示があれば、Ｓ３２０Ｙｅｓと判断し、再び原稿群Ｂの出力を実行させることになる。
【００４２】
効果を述べる。複合機１によれば、割り込みによって複数の原稿群を読み取らせる際のユーザの手間が軽くなる。原稿群Ａと原稿群Ｂとの切り替えが自動的に判断されるので、原稿群Ａの読み取り途中であっても、原稿群Ａを除けることなく、原稿群ＢをＡＤＦ２０に載置できるからである。
【００４３】
ところで、読み取り結果をグループＡかグループＢかに分類するためには両面を読み取らなくてはならない。そこで、割り込み指示前、及び割り込み指示後に原稿群Ｂの読み取りが終わった後については、原稿群Ａについて設定された読み取り面を読み取り部３０が読み取るようになっているので、常に両面を読み取るのを避けて、無駄な読み取りを省いている。
【００４４】
また、原稿群Ｂについて読み取り可能な面が操作パネル１０に表示されるので、ユーザはその指示に従えばよく、便利である。また、割り込み禁止を設定することができるので、誤操作を防ぐことができる。また、読み取り部３０は、二つのセンサーによって読み取りを実行するので、読み取りがスムーズである。
【実施例２】
【００４５】
実施例１と違う点だけを説明する。違う点は、原稿群Ｂ処理のＳ２４０、及び第一分類処理に替えて第二分類処理を実行することである。まず、原稿群Ｂ処理のＳ２４０から説明する。このステップにおいて、実施例１でも受け付ける各種設定指示に加え、原稿群Ｂの枚数の入力を受け付ける（図９参照）。この枚数を示す数字をＭとする。この情報は、第二分類処理で用いる。
【００４６】
図１０は、第二分類処理を示すフローチャートである。まず、ＡＤＦ２０に原稿を引き込ませる（Ｓ４１０）。そして、割り込み指示があるかを判断する（Ｓ４２０）。割り込み指示ありと判断すると（Ｓ４２０Ｙｅｓ）、設定された読み取り面に関係なく、読み取り部３０に両面を読み取らせる（Ｓ４５０）。そして、Ｓ４１０で引き込んだ原稿が原稿群Ｂに属するのかを、裏面の読み取り結果に基づいて判断する（Ｓ４６０）。原稿群Ａに属すると判断すると（Ｓ４６０Ｎｏ）、（ここから図１１）Ｓ４５０の読み取り結果に基づいて、原稿群Ａについての出力を実行させる（Ｓ４３０）。
【００４７】
そして、ＡＤＦ２０にまだ原稿があるかを判断する（Ｓ４４０）。あると判断すると（Ｓ４４０Ｙｅｓ）、（ここから図１０）Ｓ４１０に戻る。
【００４８】
一方、Ｓ４１０で引き込んだ原稿が原稿群Ｂに属すると判断すると（Ｓ４６０Ｙｅｓ）、（ここから図１１）原稿群Ｂを処理した枚数を示す変数ｎに零を代入する（Ｓ４６５）。そして、原稿群Ｂについての出力を実行させる（Ｓ４７０）。そして、ｎに１を足す（Ｓ４７５）。そして、ＡＤＦ２０に原稿がまだあると判断すると（Ｓ４８０Ｙｅｓ）、ｎがＭ以上かを判断する（Ｓ４８５）。ｎがＭ未満と判断すると（Ｓ４８５Ｎｏ）、ＡＤＦ２０に原稿を引き込ませて（Ｓ４９０）、原稿群Ｂについて設定された読み取り面を読み取って（Ｓ４９３）、Ｓ４７０に戻る。
【００４９】
一方、ｎがＭ以上と判断すると（Ｓ４８５Ｙｅｓ）、割り込み指示を解除する（Ｓ４９５）。そして、ＡＤＦ２０に原稿がまだあると判断すると（Ｓ４４０Ｙｅｓ）、（ここから図１０）Ｓ４１０に戻る。再度の割り込み指示がない場合は、Ｓ４２０でＮｏと判断することになり、原稿群Ａについて設定された読み取り面を読み取って（Ｓ４２５）、Ｓ４３０に進む。
【００５０】
割り込み指示が再びあれば、Ｓ４２０でＹｅｓと判断して、Ｓ４５０に進む。そして、ＡＤＦ２０に原稿が無いと判断する（Ｓ４４０Ｎｏ又はＳ４８０Ｎｏ）、この処理を終える。
【００５１】
効果を述べる。実施例１と同じ効果を奏する。さらに、両面を読み取らなくてはいけない期間は、割り込み指示後（Ｓ４２０Ｙｅｓ）から、原稿群Ｂの一枚目の原稿を検出するまで（Ｓ４６０Ｙｅｓ）なので、実施例１よりも更に短くなっている。また、原稿群Ｂの一枚目以外は、裏面が白紙か否かについて条件が課されない。
【００５２】
変形例を述べる。表面が白紙か否かで分類判断をしても良い。そうすると、原稿群Ａについて、裏面だけの読み取りが可能になる。この場合、原稿群Ａは表面が白紙である必要があり、原稿群Ｂは、設定可能読み取り面が表面または両面であると共に、表面に画像データが有ることが必要である。
【００５３】
また、表面が白紙か否かで分類判断をする場合、原稿群Ａの表面に画像データがあること、原稿群Ｂの表面が白紙であること、という分類の仕方もできる。そうすると、原稿群Ａが表面読み取りの場合でも、裏面が白紙でも白紙でなくても構わなくなる。
【００５４】
また、白紙でなくても無地（例えば真っ黒）か否かで、原稿群の違いを判断するようになっていても良い。また、読み取り部３０のセンサーは二つでなくても、両面読み取りができるのなら一つでも良い。
【００５５】
また、常に両面を読み取り、常に分類判断をするようにしても良い。具体的には、第一分類処理において、Ｓ３２０・Ｓ３７０・Ｓ３９０を飛ばすと共に、Ｓ３２５において両面読み取りをすることで実現できる。そうすれば、どのように原稿群が混ざっていても構わなくなる。また、複合機でなくても、原稿を読み取る他の装置に適用してもよい。
【００５６】
実施例と特許請求の範囲との対応を述べる。Ｓ１１０・Ｓ２３０が設定手段、Ｓ１２０が禁止手段、Ｓ１４０・Ｓ３２５・Ｓ３５０・Ｓ４２５・Ｓ４５０・Ｓ４９３が読み取り手段、原稿群Ａ処理・第一／第二分類処理（読み取り手段に相当するステップ除く）が分類手段、Ｓ３２０・Ｓ３６０・Ｓ４２０・Ｓ４６０が切り換え手段、Ｓ３６０が終了判断手段、Ｓ４６０が開始判断手段、のソフトウェアにそれぞれ相当する。また、Ｓ３２０Ｎｏ・Ｓ３６０Ｎｏ・Ｓ４２０Ｎｏ・Ｓ４６０Ｙｅｓと判断した後が第一モード、反対の判断をした後が第二モードに相当する。
【符号の説明】
【００５７】
１…複合機、１０…操作パネル、２０…ＡＤＦ、３０…読み取り部、４０…ＦＡＸ出力部、５０…スキャナ出力部、６０…コピー出力部、１００…制御部
【図１】
2010199999.tif 000003
【図２】
2010199999.tif 000004
【図３】
2010199999.tif 000005
【図４】
2010199999.tif 000006
【図５】
2010199999.tif 000007
【図６】
2010199999.tif 000008
【図７】
2010199999.tif 000009
【図８】
2010199999.tif 000010
【図９】
2010199999.tif 000011
【図１０】
2010199999.tif 000012
【図１１】
2010199999.tif 000013